【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
操作者の識別情報を、操作者の属性を示す第一または第二属性情報と対応付けて記憶する第一記憶手段と、
操作者の識別情報の入力を受け付ける識別情報受付手段と、
検体を検査して検査結果を取得する検査手段と、
前記検査手段により取得された検体の検査結果を操作者の識別情報と関連付けて記憶する第二記憶手段と、
操作者による操作終了指示を受け付ける終了指示受付手段と、
前記終了指示受付手段により操作終了指示が受け付けられ、かつ、前記識別情報受付手段により受け付けられた識別情報が第二属性情報と対応付けられている場合に、その識別情報と関連付けられて記憶された検査結果を前記第二記憶手段から削除する削除手段と、
を備える検体検査装置。
【請求項２】
前記終了指示受付手段により操作終了指示が受け付けられた場合に、前記検査結果を削除する指示を受け付ける削除指示受付手段をさらに備え、
前記削除手段は、前記削除指示受付手段により受け付けられた指示に基づき、前記検査結果を削除する請求項１に記載の検体検査装置。
【請求項３】
前記削除手段は、前記識別情報受付手段により受け付けられた識別情報が第二属性情報と対応付けられており、かつ、前記終了指示受付手段により操作終了指示が受け付けられた場合に、前記検査結果を自動的に一括して削除する請求項１に記載の検体検査装置。
【請求項４】
前記第二記憶手段は、前記検査手段により取得された検体の検査結果および前記検査手段の動作履歴を操作者の識別情報と関連付けて記憶し、
前記削除手段は、前記終了指示受付手段により操作終了指示が受け付けられ、かつ、前記識別情報受付手段により受け付けられた識別情報が第二属性情報と対応付けられている場合に、その識別情報と関連付けられて記憶された検査結果および動作履歴を前記第二記憶手段から削除する請求項１に記載の検体検査装置。
【請求項５】
前記終了指示受付手段により操作終了指示が受け付けられた場合に、前記検査結果または、前記検査結果および前記動作履歴を削除する指示を受け付ける削除指示受付手段をさらに備え、
前記削除手段は、前記削除指示受付手段により受け付けられた指示に基づき、前記検査結果または、前記検査結果および前記動作履歴を削除する請求項４に記載の検体検査装置。
【請求項６】
前記削除手段は、前記識別情報受付手段により受け付けられた識別情報が第二属性情報と対応付けられており、かつ、前記終了指示受付手段により操作終了指示が受け付けられた場合に、前記検査結果および前記動作履歴を自動的に一括して削除する請求項４に記載の検体検査装置。
【請求項７】
前記第一属性情報は、操作者の属性が一般操作者であることを示す情報であり、前記第二属性情報は、操作者の属性が保守作業担当者であることを示す情報である請求項１から６のいずれか一項に記載の検体検査装置。
【請求項８】
前記第一記憶手段は、操作者の識別情報を、操作者の属性を示す第一、第二または第三属性情報と対応付けて記憶する請求項１から７のいずれか一項に記載の検体検査装置。
【請求項９】
前記第三属性情報は、操作者の属性が装置の管理者であることを示す情報である請求項８に記載の検体検査装置。
【請求項１０】
操作者の識別情報を、操作者の属性を示す第一または第二属性情報と対応付けて記憶する第一記憶手段と、
操作者の識別情報の入力を受け付ける識別情報受付手段と、
検体を検査して検査結果を取得する検査手段と、
前記検査手段により取得された検体の検査結果を、操作者の識別情報と関連付けて記憶する第二記憶手段と、
前記識別情報受付手段により受け付けられた識別情報が第二属性情報と対応付けられている場合に、第一属性情報と対応付けられた識別情報と関連付けられた検査結果に対する編集処理を禁止する編集禁止手段と、を備える検体検査装置。
【請求項１１】
前記第二記憶手段により記憶された検査結果を表示する表示手段と、
前記表示手段により表示された検査結果を選択する選択手段と、
前記選択手段により選択された前記検査結果に対して編集処理を実行する編集手段と、をさらに備える請求項１０に記載の検体検査装置。
【請求項１２】
前記編集処理は、前記選択手段により選択された前記検査結果に対する削除処理である請求項１１に記載の検体検査装置。
【請求項１３】
前記表示手段は、前記識別情報受付手段により受け付けられた識別情報が第二属性情報と対応付けられている場合には、受け付けられた識別情報が第二属性情報と対応付けられていることを示す情報を表示する請求項１１または１２に記載の検体検査装置。
【請求項１４】
前記表示手段は、前記識別情報受付手段により受け付けられた識別情報が第二属性情報と対応付けられている場合には、当該識別情報と関連付けられた検査結果を、前記第一属性情報と対応付けられた識別情報と関連付けられた検査結果と識別可能に表示する請求項１０から１３のいずれか一項に記載の検体検査装置。
【請求項１５】
操作者の識別情報を、操作者の属性を示す第一または第二属性情報と対応付けて記憶する記憶部と、
操作者の識別情報の入力を行うための入力部と、
検体を検査して検査結果を取得する検査部と、
前記検査部により取得された検体の検査結果を操作者の識別情報と関連付けて前記記憶部に記憶する処理、および、前記入力部により入力された識別情報が第二属性情報と対応付けられている場合に、操作者による操作終了指示を受け付けると、前記識別情報と関連付けられて記憶された検査結果を前記記憶部から削除する処理を実行する制御部と、
を備える検体検査装置。
【請求項１６】
操作者の識別情報を、操作者の属性を示す第一または第二属性情報と対応付けて記憶する記憶部と、
操作者の識別情報の入力を行うための入力部と、
検体を検査して検査結果を取得する検査部と、
前記検査部により取得された検体の検査結果を、操作者の識別情報と関連付けて前記記憶部に記憶する処理、および、前記入力部により入力された識別情報が第二属性情報と対応付けられている場合に、第一属性情報と対応付けられた識別情報と関連付けられた検査結果に対する編集処理を禁止する処理を実行する制御部と、
を備える検体検査装置。
【請求項１７】
施設に設置され、一般操作者および保守作業担当者により操作される検体検査装置であって、
操作者の識別情報の入力を行うための入力部と、
検体を検査して検査結果を取得する検査部と、
前記検査部により取得された検体の検査結果を前記識別情報と関連付けて記憶する記憶部と、
操作者による操作終了指示を受け付けた場合に、操作者が保守作業担当者であるか否かを判定し、操作者が保守作業担当者である場合には、前記識別情報と関連付けられて記憶された検査結果を前記記憶部から削除する制御部と、
を備える検体検査装置。
【請求項１８】
施設に設置され、一般操作者および保守作業担当者により操作される検体検査装置であって、
操作者の識別情報の入力を行うための入力部と、
検体を検査して検査結果を取得する検査部と、
前記検査部により取得された検体の検査結果を前記識別情報と関連付けて記憶する記憶部と、
前記記憶部に記憶された検査結果を保守作業担当者が編集する場合、その検査結果が保守作業担当者の識別情報と関連付けられているか否かを判定し、保守作業担当者の識別情報と関連付けられていない場合には、その検査結果に対する編集処理を禁止する制御部と、
を備える検体検査装置。
【手続補正２】
【補正対象書類名】明細書
【補正対象項目名】００１３
【補正方法】変更
【補正の内容】
【００１３】
また、前記態様において、前記終了指示受付手段により操作終了指示が受け付けられた場合に、前記検査結果または、前記検査結果および前記動作履歴を削除する指示を受け付ける削除指示受付手段をさらに備え、前記削除手段は、前記削除指示受付手段により受け付けられた指示に基づき、前記検査結果または、前記検査結果および前記動作履歴を削除してもよい。
【手続補正３】
【補正対象書類名】明細書
【補正対象項目名】００２２
【補正方法】変更
【補正の内容】
【００２２】
また、前記態様において、前記表示手段は、前記識別情報受付手段により受け付けられた識別情報が第二属性情報と対応付けられている場合には、当該識別情報と関連付けられた検査結果を、前記第一属性情報と対応付けられた識別情報と関連付けられた検査結果と識別可能に表示してもよい。